(57)【特許請求の範囲】
【請求項１】
棒金管理機本体へ着脱可能な棒金収納庫であって、
棒金硬貨をそれぞれ１本ずつ収納する複数の収納領域と、
前記収納領域上方をスライドして開閉可能な蓋体と、
閉状態の前記蓋体を係止する係止部材と、
を備え、
前記棒金管理機本体への装填により前記係止部材による係止が解除されることを特徴とする棒金収納庫。
【請求項２】
管理機本体と、
この管理機本体に対して着脱可能で、前記管理機本体への装着時は引き出し自在であり、棒金硬貨をそれぞれ１本ずつ収納する複数の収納領域と、前記収納領域上方をスライドして開閉可能な蓋体と、閉状態の前記蓋体を係止する係止部材と、を有する棒金収納庫と、
を備え、
前記棒金収納庫を前記管理機本体へ装填することによって前記係止部材による係止が解除されることを特徴とする棒金管理機。
【請求項３】
前記棒金収納庫は、前記管理機本体への係合可能なロック位置と、係合しない解放位置との間で可動する係合部をさらに有し、前記係合部は前記蓋体の閉状態は前記解放位置にあり、前記蓋体の開状態は前記ロック位置にあることを特徴とする請求項２に記載の棒金管理機。
【請求項４】
前記複数の収納領域は、第１の金種の棒金硬貨を収納する少なくとも１つの第１の収納領域と、前記第１の金種とは異なる第２の金種の棒金硬貨を収納する少なくとも１つの第２の収納領域と、を含むことを特徴とする請求項２又は３に記載の棒金管理機。
【請求項５】
前記棒金収納庫に収納された棒金硬貨の金種及び個数を検出する検出部をさらに備えることを特徴とする請求項２乃至４のいずれかに記載の棒金管理機。
【請求項６】
前記検出部による検出結果が与えられ、前記検出結果を外部へ送信可能な制御部をさらに備えることを特徴とする請求項５に記載の棒金管理機。
【発明の詳細な説明】
【技術分野】
【０００１】
本発明は、棒金収納庫及び棒金管理機に関するものである。
【背景技術】
【０００２】
従来の棒金管理機は、棒金（所定枚数の同一金種の硬貨を棒状にまとめて包装したもの）を収容する棒金収納部が設けられた棒金ドロアが管理機本体に引き出し自在に取り付けられ、棒金収納部へ棒金を１本ずつ補充したり、棒金収納部から棒金を１本ずつ回収したりすることにより、釣銭準備金としての棒金の補充／回収が行われていた（例えば特許文献１参照）。
【０００３】
棒金の補充／回収を棒金１本ずつでなく、ドロア単位でまとめて行うことで効率の向上を図ることができるが、単にドロアを管理機本体から取り外しただけでは棒金が露出されているため、棒金の紛失等のおそれがあった。
【０００４】
また、近年、貨幣処理機への貨幣の補充／回収を警備会社等に委託して、貨幣の補充／回収を定期的に行う運用が主流となってきている。貨幣処理機は、紙幣カセットと硬貨カセットを有しており、警備会社等はそのカセットを運搬して貨幣処理機にセットする。貨幣処理機はセットされたカセットから貨幣を繰り出して出金等の処理を行う。
【０００５】
しかし、貨幣処理機が棒金の収納繰出しができないために、棒金硬貨についてはカセット化されておらず、警備会社等に補充／回収を委託することができなかった。仮に、補充／回収を委託したとしても、警備会社等の係員が、棒金を手作業で補充／回収することになり、セキュリティの確保に問題があった。
【特許文献１】特開２００６−２８５４７２号公報
【発明の開示】
【発明が解決しようとする課題】
【０００６】
本発明は棒金の補充／回収を正確に効率よく、かつセキュリティを確保して行うことができる棒金収納庫及び棒金管理機を提供することを目的とする。
【課題を解決するための手段】
【０００７】
本発明の一態様による棒金収納庫は、棒金管理機本体へ着脱可能な棒金収納庫であって、棒金硬貨をそれぞれ１本ずつ収納する複数の収納領域と、前記収納領域上方をスライドして開閉可能な蓋体と、閉状態の前記蓋体を係止する係止部材と、を備え、前記棒金管理機本体への装填により前記係止部材による係止が解除されるものである。
【０００８】
本発明の一態様による棒金管理機は、管理機本体と、この管理機本体に対して着脱可能で、前記管理機本体への装着時は引き出し自在であり、棒金硬貨をそれぞれ１本ずつ収納する複数の収納領域と、前記収納領域上方をスライドして開閉可能な蓋体と、閉状態の前記蓋体を係止する係止部材と、を有する棒金収納庫と、を備え、前記棒金収納庫を前記管理機本体へ装填することによって前記係止部材による係止が解除されるものである。
【０００９】
本発明の一態様による棒金管理機においては、前記棒金収納庫は、前記管理機本体への係合可能なロック位置と、係合しない解放位置との間で可動する係合部をさらに有し、前記係合部は前記蓋体の閉状態は前記解放位置にあり、前記蓋体の開状態は前記ロック位置にあることが好ましい。
【００１０】
本発明の一態様による棒金管理機においては、前記複数の収納領域は、第１の金種の棒金硬貨を収納する少なくとも１つの第１の収納領域と、前記第１の金種とは異なる第２の金種の棒金硬貨を収納する少なくとも１つの第２の収納領域と、を含むことが好ましい。
【００１１】
本発明の一態様による棒金管理機においては、前記棒金収納庫に収納された棒金硬貨の金種及び個数を検出する検出部をさらに備えることが好ましい。
【００１２】
本発明の一態様による棒金管理機においては、前記検出部による検出結果が与えられ、前記検出結果を外部へ送信可能な制御部をさらに備えることが好ましい。
【発明の効果】
【００１３】
本発明によれば、棒金の補充／回収を効率よく、かつセキュリティを確保して行うことができる。
【発明を実施するための最良の形態】
【００１４】
以下、本発明の実施の形態を図面に基づいて説明する。
【００１５】
図１に本発明の実施形態に係る棒金管理機の概略構成を示す。棒金管理機１は本体１ａと、この本体１ａに対して脱着可能であり、装着時はそれぞれ（水平な縦方向に）前方へ手動で引き出し自在となるカセット１１〜１６とを有している。
【００１６】
各カセット１１〜１６には、特定金種の棒金硬貨を１本ずつ収容可能な複数の棒金収納領域２０が設けられている。各収納領域２０における棒金硬貨の収納姿勢は、棒金硬貨の軸線がカセット１１〜１６の引き出し方向（縦方向）と直交する横方向を向いた水平姿勢である。
【００１７】
例えば上段のカセット１１〜１３にはそれぞれ１円棒金硬貨、５円棒金硬貨、１０円棒金硬貨が収納され、下段のカセット１４〜１６にはそれぞれ５０円棒金硬貨、１００円棒金硬貨、５００円棒金硬貨が収納される。
【００１８】
また、図２に示すように、棒金管理機１は検出部９と制御部１０を備える。検出部９は各カセット１１〜１６に収納されている棒金硬貨の数を検出する。制御部１０は棒金管理機１の外部と通信接続することができ、検出部９の検出結果を外部へ送信できる。
【００１９】
各カセット１１〜１６の後方にはロック板３０が設けられている。ロック板３０は本体１ａ内部を縦方向にスライド自在となっている。カセット１１〜１６の本体１ａへの脱着はこのロック板３０への脱着となる。ロック板３０の構造については後述する。
【００２０】
図３に示すように、各カセット１１〜１６はシャッター２１、検知片２２、ピン挿通孔２３、ロックアーム２４、及び検出孔２５を有する。検知片２２の位置はカセット１１〜１６毎に異なっている。
【００２１】
図４に示すように、カセット内壁の上部、前部、及び底部にコ字状（又はＵ字状）のスライドガイド溝２６が設けられている。シャッター２１の端部には溝２６に挿入される突起部２１ａが設けられており、突起部２１ａ（シャッター２１）が溝２６に沿ってスライドする。また、シャッター２１はカセット底部に収納することができる。また、カセット内部にはシャッターを係止する係止部材（図６における係止部材２７）が設けられている。
【００２２】
図４（ａ）はシャッター２１の閉状態を示す。シャッター２１が閉状態の時は、カセットに収納されている棒金硬貨を取り出すことができない。
【００２３】
図４（ｂ）はシャッター２１がスライドしてカセット前方底部に位置する状態である。この状態からシャッター２１をカセット後方へスライドさせることで、シャッター２１をカセット底部に収納することができる。
【００２４】
検出孔２５はシャッター２１の両側板２９に前後方向全域にわたって形成されている。前記検出部９はカセットを両側から挟んで互いに対抗する位置で本体１ａに固定された発光ユニット及び受光ユニットを有している。発光ユニット及び受光ユニットは光軸が検出孔２５を通るように配置される。
【００２５】
カセットを本体１ａに装着した状態でのカセットの引き出し、押し込み時に検出孔２５を通る光の透過／遮光によりカセットに収納されている棒金硬貨の数を検出することができる。
【００２６】
カセットは金種毎に本体１ａの決められた位置に装着される。従って、制御部１０は、検出部９が棒金硬貨を検出したカセットの位置と棒金硬貨の数から金種毎に棒金硬貨がいくつあるか検出することができる。
【００２７】
図５に示すように、ロック板３０にはアーム孔３１、検知孔３２、及びロック解除ピン３３が設けられている。
【００２８】
検知孔３２の位置はそれぞれ対応するカセットの検知片２２の位置に合わせられている。従って、対応しないカセットの検知片２２とロック板３０の検知孔３２とは整合しないので、対応しないカセットは装着されない。つまり各カセット１１〜１６は本体１ａの所定の対応位置にのみ装着される。
【００２９】
アーム孔３１はカセットのロックアーム２４に対応する位置に設けられている。
【００３０】
図６に本体１ａ（ロック板３０）へのカセット装着時の各部の対応関係を示す。カセットを本体１ａに装填すると、検知片２２がロック板の検知孔３２に嵌合し、カセット後端壁がロック板３０に当接する。図６（ａ）に示すように、解除ピン３３がピン挿通孔２３を挿通し、係止部材２７を（図中時計回り方向に）回動させる。これによりシャッター２１のロックが解除され、スライドできるようになる。
【００３１】
図６（ｂ）に示すように、シャッター２１がスライドすると戻しバネ２８によりロックアーム２４が上昇し、ロックアーム２４の係合部分２４ａの位置がロック板３０と係合するロック位置になる。これにより、カセットを本体１ａ（ロック板３０）に装着（固定）することができる。
【００３２】
図７に本体１ａ（ロック板３０）からのカセット取り外し時の各部の対応関係を示す。図７（ｂ）に示すように、シャッター２１をスライドして閉状態にするとロックアーム２４が押し下げられ、係合部分２４ａの位置がロック板３０と係合しない解放位置になる。これによりカセットをロック板３０から外すことができる。
【００３３】
カセットをロック板３０から外すと、図７（ａ）に示すように、ピン挿通孔２３から解除ピン３３が抜ける。これにより係止部材２７は図示しない戻しバネにより（図中反時計回りに）回動してシャッター２１を係止する。
【００３４】
このように、本実施形態による棒金管理機１では、本体１ａに装着（装填）した時のみカセットのシャッター２１を開くことができ、またシャッター２１を閉じた時のみカセットを本体１ａから取り外すことができる。つまり、棒金硬貨の補充／回収はシャッターが閉じたカセットの装着／取り外しにより行われる。
【００３５】
従って、棒金硬貨を１本ずつ手作業で補充／回収する必要がなく、補充／回収をカセット単位で行うことができるため、セキュリティを確保し、作業効率を向上させることができる。また、カセットの運搬時にはカセットのシャッターが閉じてロックされているため、正確な補充／回収を行うことができる。
【００３６】
上述した実施の形態は一例であって限定的なものではないと考えられるべきである。例えば制御部１０から棒金管理機１内の有高データを警送センター（警備会社）へネットワーク経由で送信するようにしてもよい。警備会社で店舗にて必要な釣銭準備金を把握することができる。また、棒金管理機内のカセットの運搬時にはシャッターが閉じているため、棒金に触れられることがない。
【００３７】
従って、セキュリティを確保して、警備会社等に釣銭準備金としての棒金硬貨の補充／回収を委託できる。
【００３８】
上記実施形態ではカセットの棒金収納領域の上方を覆う蓋体はスライド可能なシャッター２１であったが、蛇腹式シャッターにしてもよい。図８に示すように、カセット内部には蛇腹式シャッター８１の開閉を行う駆動部８２が設けられる。駆動部８２は例えばモータである。
【００３９】
駆動部８２は棒金管理機１の本体１ａにカセットが装着されることで電力が供給されて駆動可能となる。カセット又は本体１ａに駆動部８２へのシャッター開閉指示を与える開閉指示手段が設けられる。この開閉指示手段を介して開口指示が与えられると、駆動部８２は蛇腹式シャッター８１を巻き取る。さらに、蛇腹式シャッター８１が閉じていることを検知することでカセットを本体１ａから取り外し可能にするロック機構が設けられる。
【００４０】
また、上記実施形態では各カセット１１〜１６は金種別に棒金硬貨を収納し、それぞれ異なる位置に検知片２２を設けることで金種毎に本体１ａの特定の位置にカセットを装着するようにしていたが、検知片２２及び検知孔３２を設けなくてもよい。
【００４１】
この場合、検出部９はカセットに収納される棒金硬貨の数だけでなく、金種も検出できるようにする。例えば、カセットを引き出す又は押し込む時、発光ユニットが発した光を受光ユニットが受光しているかという情報と、ロータリーエンコーダー（変位検出手段）によるカセットの本体１ａに対する位置に関する情報とから、収納されている棒金硬貨の金種を判定する。これにより金種毎にカセットを特定の位置に装着しなくてもよくなる。
【００４２】
また、１つのカセットに複数の金種の棒金硬貨を入れるようにしてもよい。例えば図９に示すように、棒金管理機１に３つのカセット１７〜１９を装着可能とし、カセット１７には１円棒金硬貨及び５円棒金硬貨、カセット１８には１０円棒金硬貨及び５０円棒金硬貨、カセット１９には１００円棒金硬貨及び５００円棒金硬貨を収納する。金種毎にカセットを分ける場合よりも棒金管理機１を小型化することができる。
【００４３】
また、図１０に示すように、検出部９によるカセット内の棒金硬貨の数及び金種の検出結果を表示可能な表示パネル１ｂを棒金管理機１の本体１ａの前面に設けるようにしてもよい。
【００４４】
本発明の技術的範囲は特許請求の範囲によって示され、特許請求の範囲と均等の意味および範囲内でのすべての変更が含まれることが意図される。
【図面の簡単な説明】
【００４５】
【図１】本発明の実施形態に係る棒金管理機の外観斜視図である。
【図２】同実施形態に係る棒金管理機のブロック図である。
【図３】同実施形態に係る棒金収納庫の外観斜視図である。
【図４】同実施形態に係る棒金収納庫のシャッター閉状態及びシャッタースライド時の外観斜視図である。
【図５】同実施形態に係る棒金管理機におけるロック板の外観斜視図である。
【図６】同実施形態に係る棒金収納庫のシャッター係止解除及び棒金管理機本体への装着を示す縦断面図である。
【図７】同実施形態に係る棒金収納庫のシャッター係止及び棒金管理機本体からの取り出しを示す縦断面図である。
【図８】変形例による棒金収納庫の縦断面図である。
【図９】変形例による棒金管理機の外観斜視図である。
【図１０】変形例による棒金管理機の外観斜視図である。
【符号の説明】
【００４６】
１  棒金管理機
９  検出部
１０  制御部
１１〜１９  カセット
２０  棒金収納領域
２１  シャッター
２２  検知片
２３  ピン挿通孔
２４  ロックアーム
２５  検出孔
２６  スライドガイド溝
２７  係止部材
２８  戻しバネ
２９  側板
３０  ロック板
３１  アーム孔
３２  検知孔
３３  解除ピン
【図１】
0005165432.tif 000002
【図２】
0005165432.tif 000003
【図３】
0005165432.tif 000004
【図４】
0005165432.tif 000005
【図５】
0005165432.tif 000006
【図６】
0005165432.tif 000007
【図７】
0005165432.tif 000008
【図８】
0005165432.tif 000009
【図９】
0005165432.tif 000010
【図１０】
0005165432.tif 000011